【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】フィルムアンテナ


【手続補正２】
【補正対象書類名】明細書
【補正対象項目名】特許請求の範囲
【補正方法】変更
【補正の内容】
【特許請求の範囲】
【請求項１】
電気絶縁性を有する透明な帯状のフィルムと、前記フィルムに線状に配設されるアンテナ導体とを有するフィルムアンテナにおいて、
前記帯状のフィルムは、幅広部と幅細部とを含み、該幅広部の幅方向一方側と該幅細部の幅方向一方側は直線状に連なることを特徴とするフィルムアンテナ。
【請求項２】
前記フィルムの一表面に、被貼付部に貼付けるための粘着層が形成され、他表面にアンテナ導体が配設され、該アンテナ導体を覆って透明層が印刷によって形成されることを特徴とする請求項１記載のフィルムアンテナ。
【請求項３】
前記フィルムの一表面に、被貼付部に貼付けるための粘着層が形成され、他表面にアンテナ導体が配設され、該アンテナ導体の上から透明なカバーフィルムが貼付けられることを特徴とする請求項１記載のフィルムアンテナ。
【請求項４】
前記フィルムの長手方向一端部に、該アンテナ導体に給電をするための給電端子が形成されていることを特徴とする請求項１〜３のうちの１つに記載のフィルムアンテナ。
【請求項５】
前記粘着層は、被貼付部に貼付けられる部分のみに設けられることを特徴とする請求項２〜４のうちの１つに記載のフィルムアンテナ。
【請求項６】
前記粘着層は、前記フィルムの一表面全面に形成され、被貼付部に貼付ける前の該フィルムの粘着層を保護するために、粘着層を覆う剥離シートが設けられ、該剥離シートは少なくとも、被貼付部に貼付けられる部分とそれ以外の部分との境界部で分割されることを特徴とする請求項２または３記載のフィルムアンテナ。
【請求項７】
前記給電端子は面状に形成され、アンテナ導体の端部に連なり、該給電端子に接続する給電用同軸ケーブルには、給電用同軸ケーブルの内部導体に端子が接続される給電用コネクタが取り付けられ、該給電用コネクタの端子と該給電端子とが圧接して接続されることを特徴とする請求項４記載のフィルムアンテナ。
【請求項８】
前記給電用同軸ケーブルの外部導体が、接地されることを特徴とする請求項７記載のフィルムアンテナ。
【請求項９】
電気絶縁性を有する透明な帯状のフィルムと、前記フィルムに線状に配設されるアンテナ導体とを有し、前記フィルムが、窓ガラスに貼付けられるフィルムアンテナにおいて、
前記帯状のフィルムは、幅広部と幅細部とを含み、該幅広部の幅方向一方側と該幅細部の幅方向一方側は直線状に連なり、該幅広部の幅方向他方側が窓ガラス周縁に近接して配置されることを特徴とするフィルムアンテナ。
【請求項１０】
前記フィルムの一表面に、窓ガラスに貼付けるための粘着層が形成され、他表面にアンテナ導体が配設され、該アンテナ導体を覆って透明層が印刷によって形成されることを特徴とする請求項９記載のフィルムアンテナ。
【請求項１１】
前記フィルムの一表面に、窓ガラスに貼付けるための粘着層が形成され、他表面にアンテナ導体が配設され、該アンテナ導体の上から透明なカバーフィルムが貼付けられることを特徴とする請求項９記載のフィルムアンテナ。
【請求項１２】
前記フィルムは、窓ガラスの室内側に貼付けられることを特徴とする請求項９記載のフィルムアンテナ。
【請求項１３】
前記フィルムの長手方向一端部が、車体と内装材との間に引き込まれ、該引き込まれた部分に、前記アンテナ導体に給電するための給電端子が形成されることを特徴とする請求項１２記載のフィルムアンテナ。
【請求項１４】
前記粘着層は、窓ガラスに貼付けられる部分のみに設けられることを特徴とする請求項１０または１１記載のフィルムアンテナ。
【請求項１５】
前記粘着層は、前記フィルムの一表面全面に形成され、窓ガラスに貼付ける前の該フィルムの粘着層を保護するために、粘着層を覆う剥離シートが設けられ、該剥離シートは少なくとも、窓ガラスに貼付けられる部分と車体に引き込まれる部分との境界部で分割されることを特徴とする請求項１０または１１記載のフィルムアンテナ。
【請求項１６】
前記給電端子は面状に形成され、アンテナ導体の端部に連なり、該給電端子に接続する給電用同軸ケーブルには、給電用同軸ケーブルの内部導体に端子が接続される給電用コネクタが取り付けられ、該給電用コネクタの端子と該給電端子とが圧接して接続されることを特徴とする請求項１３記載のフィルムアンテナ。
【請求項１７】
前記給電用同軸ケーブルの外部導体が、車体にねじ止めされて接地されることを特徴とする請求項１６記載のフィルムアンテナ。
【請求項１８】
前記給電用同軸ケーブルの外部導体に端子が接続される接地用コネクタが取り付けられ、車体の塗装を除去して露出した車体の金属部分に該接地用コネクタの端子を圧接して接地することを特徴とする請求項１６記載のフィルムアンテナ。
【請求項１９】
前記給電用同軸ケーブルには、給電用同軸ケーブルの外部導体に端子が接続される接地用コネクタが取り付けられ、車体の塗装の上から導体シートを貼付け、該導体シートに前記接地用コネクタの端子を圧接して接地することを特徴とする請求項１６記載のフィルムアンテナ。
【請求項２０】
前記アンテナ導体は、フィルムの幅細部では長手方向に延び、幅広部では幅方向にジグザグ状に配設されることを特徴とする請求項１または８記載のフィルムアンテナ。
【請求項２１】
前記透明層の印刷は、アンテナ導体およびその周辺部のみであることを特徴とする請求項２または９記載のフィルムアンテナ。
【請求項２２】
前記アンテナ導体は、導電性ペーストの印刷によって形成されていることを特徴とする請求項１〜２１のうちの１つに記載のフィルムアンテナ。
【請求項２３】
前記アンテナ導体は、導体線から成ることを特徴とする請求項１〜２１のうちの１つに記載のフィルムアンテナ。
【請求項２４】
前記窓ガラスは、フロントガラスであることを特徴とする請求項９〜１９のうちの１つに記載のフィルムアンテナ。
【手続補正３】
【補正対象書類名】明細書
【補正対象項目名】０００１
【補正方法】変更
【補正の内容】
【０００１】
【発明の属する技術分野】
本発明は、自動車の窓ガラスに貼付けて用いられるフィルムアンテナに関する。


【手続補正４】
【補正対象書類名】明細書
【補正対象項目名】０００７
【補正方法】変更
【補正の内容】
【０００７】
本発明の目的は、美観を低下させることなく、容易にフィルムアンテナを窓ガラスに貼付けることができるフィルムアンテナを提供することである。


【手続補正５】
【補正対象書類名】明細書
【補正対象項目名】０００８
【補正方法】変更
【補正の内容】
【０００８】
【課題を解決するための手段】
本発明は、電気絶縁性を有する透明な帯状のフィルムと、前記フィルムに線状に配設されるアンテナ導体とを有するフィルムアンテナにおいて、
前記帯状のフィルムは、幅広部と幅細部とを含み、該幅広部の幅方向一方側と該幅細部の幅方向一方側は直線状に連なることを特徴とするフィルムアンテナである。
本発明に従えば、帯状の透明フィルムは幅広部と幅細部とを含み、幅広部の幅方向位一方側と幅細部の幅方向一方側は直線状に連なる。帯状のフィルムは、透明であり、電気絶縁性を有して、線状にアンテナ導体が配設されるので、帯状のフィルムを、たとえば窓ガラスなどに貼付けても、美観を低下させることがなく、アンテナとして使用することができる。
また本発明は、前記フィルムの一表面に、被貼付部に貼付けるための粘着層が形成され、他表面にアンテナ導体が配設され、該アンテナ導体を覆って透明層が印刷によって形成されることを特徴とする。
本発明に従えば、フィルムの一表面には粘着層が形成されるので、容易に窓ガラスなどに貼付けることができる。またフィルムの他表面側にアンテナ導体が配設され、このアンテナ導体を覆って透明層が印刷によって形成されるので、これによってアンテナ導体が保護され、防錆性が向上する。またこの透明層は印刷によって形成するため、容易にかつ正確に形成することができる。
また本発明は、前記フィルムの一表面に、被貼付部に貼付けるための粘着層が形成され、他表面にアンテナ導体が配設され、該アンテナ導体の上から透明なカバーフィルムが貼付けられることを特徴とする。
本発明に従えば、フィルムの一表面には粘着層が形成されるので、容易に窓ガラスなどに貼付けることができる。またフィルムの他表面側にアンテナ導体が配設され、このアンテナ導体の上から透明なカバーフィルムが貼付けられるので、これによってアンテナ導体が保護され、フィルムアンテナの強度が向上し、錆やアンテナ導体の破断などを防ぐことができる。
また本発明は、前記フィルムの長手方向一端部に、該アンテナ導体に給電をするための給電端子が形成されていることを特徴とする。
本発明に従えば、アンテナのフィルムの長手方向一端部に、アンテナ導体に給電をするための給電端子が形成されているので、給電端子を目立たなくして、美観が低下するのを防ぐことができる。
また本発明で、前記粘着層は、被貼付部に貼付けられる部分のみに設けられることを特徴とする。
本発明に従えば、フィルムは被貼付部に貼付けられる部分のみに粘着層が設けられているので、フィルムの貼付け作業で被貼付部を除く部分には貼付くことがなく、作業が容易となる。
また本発明で、前記粘着層は、前記フィルムの一表面全面に形成され、被貼付部に貼付ける前の該フィルムの粘着層を保護するために、粘着層を覆う剥離シートが設けられ、該剥離シートは少なくとも、被貼付部に貼付けられる部分とそれ以外の部分との境界部で分割されることを特徴とする。
本発明に従えば、フィルムの粘着層には予め剥離シートが設けられており、この剥離シートは少なくとも被貼付部に貼付けられる部分とそれ以外の部分との境界部で分割されている。したがって、まず被貼付部に貼付ける部分の剥離シートを剥がし、次に残りの剥離シートを剥がして被貼付部の他の部分にフィルムを貼付ける。このように剥離シートを分割して、貼付け作業を２段階に分けることによってフィルムの貼付け作業が容易になる。
また本発明で、前記給電端子は面状に形成され、アンテナ導体の端部に連なり、該給電端子に接続する給電用同軸ケーブルには、給電用同軸ケーブルの内部導体に端子が接続される給電用コネクタが取り付けられ、該給電用コネクタの端子と該給電端子とが圧接して接続されることを特徴とする。
本発明に従えば、給電用同軸ケーブルの給電用コネクタの端子とアンテナ導体の給電端子とが圧接して接続されるので、ハンダ付けすることなく、良好に接続することができる。
また本発明は、前記給電用同軸ケーブルの外部導体が、接地されることを特徴とする。
本発明に従えば、給電用同軸ケーブルの外部導体が接地されるので、たとえばねじ止めして接地すれば、外力が作用しても容易にはずれなくすることができる。
さらに本発明は、電気絶縁性を有する透明な帯状のフィルムと、前記フィルムに線状に配設されるアンテナ導体とを有し、前記フィルムが、窓ガラスに貼付けられるフィルムアンテナにおいて、
前記帯状のフィルムは、幅広部と幅細部とを含み、該幅広部の幅方向一方側と該幅細部の幅方向一方側は直線状に連なり、該幅広部の幅方向他方側が窓ガラス周縁に近接して配置されることを特徴とするフィルムアンテナである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また本発明は、前記フィルムの一表面に、窓ガラスに貼付けるための粘着層が形成され、他表面にアンテナ導体が配設され、該アンテナ導体を覆って透明層が印刷によって形成されることを特徴とする。


【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また本発明は、前記フィルムの一表面に、窓ガラスに貼付けるための粘着層が形成され、他表面にアンテナ導体が配設され、該アンテナ導体の上から透明なカバーフィルムが貼付けられることを特徴とする。


【手続補正１２】
【補正対象書類名】明細書
【補正対象項目名】００１８
【補正方法】変更
【補正の内容】
【００１８】
また本発明で、前記フィルムは、窓ガラスの室内側に貼付けられることを特徴とする。


【手続補正１３】
【補正対象書類名】明細書
【補正対象項目名】００２０
【補正方法】変更
【補正の内容】
【００２０】
また本発明は、前記フィルムの長手方向一端部が、車体と内装材との間に引き込まれ、該引き込まれた部分に、前記アンテナ導体に給電するための給電端子が形成されることを特徴とする。


【手続補正１４】
【補正対象書類名】明細書
【補正対象項目名】００２２
【補正方法】変更
【補正の内容】
【００２２】
また本発明で、前記粘着層は、窓ガラスに貼付けられる部分のみに設けられることを特徴とする。


【手続補正１５】
【補正対象書類名】明細書
【補正対象項目名】００２４
【補正方法】変更
【補正の内容】
【００２４】
また本発明で、前記粘着層は、前記フィルムの一表面全面に形成され、窓ガラスに貼付ける前の該フィルムの粘着層を保護するために、粘着層を覆う剥離シートが設けられ、該剥離シートは少なくとも、窓ガラスに貼付けられる部分と車体に引き込まれる部分との境界部で分割されることを特徴とする。


【手続補正１６】
【補正対象書類名】明細書
【補正対象項目名】００２６
【補正方法】変更
【補正の内容】
【００２６】
また本発明で、前記給電端子は面状に形成され、アンテナ導体の端部に連なり、該給電端子に接続する給電用同軸ケーブルには、給電用同軸ケーブルの内部導体に端子が接続される給電用コネクタが取り付けられ、該給電用コネクタの端子と該給電端子とが圧接して接続されることを特徴とする。


【手続補正１７】
【補正対象書類名】明細書
【補正対象項目名】００２８
【補正方法】変更
【補正の内容】
【００２８】
また本発明は、前記給電用同軸ケーブルの外部導体が、車体にねじ止めされて接地されることを特徴とする。


【手続補正１８】
【補正対象書類名】明細書
【補正対象項目名】００３０
【補正方法】変更
【補正の内容】
【００３０】
また本発明は、前記給電用同軸ケーブルの外部導体に端子が接続される接地用コネクタが取り付けられ、車体の塗装を除去して露出した車体の金属部分に該接地用コネクタの端子を圧接して接地することを特徴とする。


【手続補正１９】
【補正対象書類名】明細書
【補正対象項目名】００３２
【補正方法】変更
【補正の内容】
【００３２】
また本発明で、前記給電用同軸ケーブルには、給電用同軸ケーブルの外部導体に端子が接続される接地用コネクタが取り付けられ、車体の塗装の上から導体シートを貼付け、該導体シートに前記接地用コネクタの端子を圧接して接地することを特徴とする。


【手続補正２０】
【補正対象書類名】明細書
【補正対象項目名】００３４
【補正方法】変更
【補正の内容】
【００３４】
また本発明は、前記アンテナ導体は、フィルムの幅細部では長手方向に延び、幅広部では幅方向にジグザグ状に配設されることを特徴とする。
本発明に従えば、アンテナ導体は幅広部でジグザグ状に折り返されて配置されるので、フィルムの長さを短くすることができ、これによって、たとえばフロントガラスの側辺に縦方向に配置することができる。
また本発明で、前記透明層の印刷は、アンテナ導体およびその周辺部のみであることを特徴とする。
本発明に従えば、透明層の形成は、アンテナ導体およびその周辺部のみであるので、フィルムの透明度の低下を可及的に抑えることができる。
また本発明で、前記アンテナ導体は、導電性ペーストの印刷によって形成されていることを特徴とする。


【手続補正２１】
【補正対象書類名】明細書
【補正対象項目名】００３６
【補正方法】変更
【補正の内容】
【００３６】
また本発明で、前記アンテナ導体は、導体線から成ることを特徴とする。


【手続補正２２】
【補正対象書類名】明細書
【補正対象項目名】００３８
【補正方法】変更
【補正の内容】
【００３８】
また本発明で、前記窓ガラスは、フロントガラスであることを特徴とする。


【手続補正２３】
【補正対象書類名】明細書
【補正対象項目名】００６７
【補正方法】変更
【補正の内容】
【００６７】
【発明の効果】
以上のように本発明によれば、帯状のフィルムを、たとえば窓ガラスなどに貼付けても、美観を低下させることがなく、アンテナとして使用することができる。
また本発明によれば、フィルムの一表面には粘着層が形成されるので、容易に窓ガラスなどに貼付けることができ、フィルムの他表面側に配設されるアンテナ導体を覆って透明層が印刷によって形成されるので、これによってアンテナ導体が保護され、防錆性が向上する。またこの透明層は印刷によって形成するため、容易にかつ正確に形成することができる。
また本発明によれば、フィルムの一表面には粘着層が形成されるので、容易に窓ガラスなどに貼付けることができ、フィルムの他表面側に配設されるアンテナ導体の上から透明なカバーフィルムが貼付けられるので、これによってアンテナ導体が保護され、フィルムアンテナの強度が向上し、錆やアンテナ導体の破断などを防ぐことができる。
また本発明によれば、アンテナのフィルムの長手方向一端部に、アンテナ導体に給電をするための給電端子が形成されているので、給電端子を目立たなくして、美観が低下するのを防ぐことができる。
また本発明によれば、フィルムは被貼付部に貼付けられる部分のみに粘着層が設けられているので、フィルムの貼付け作業で被貼付部を除く部分には貼付くことがなく、作業が容易となる。
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】変更
【補正の内容】
【００６９】
また本発明によれば、フィルムの一表面側には粘着層が形成されるので、容易に窓ガラスに貼付けることができる。またフィルムの他表面側にはアンテナ導体が設けられ、このアンテナ導体を覆って透明層が印刷によって形成されるので、これによってアンテナ導体が保護され、防錆性が向上する。またこの透明層は印刷によって形成されるため、迅速にかつ正確に形成することが可能である。


【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】変更
【補正の内容】
【００７１】
また本発明によれば、アンテナ導体の上から透明なカバーフィルムが貼付けられるので、これによってアンテナ導体が保護され、錆の発生やアンテナ導体の破断などが防がれる。


【手続補正２８】
【補正対象書類名】明細書
【補正対象項目名】００７２
【補正方法】変更
【補正の内容】
【００７２】
また本発明によれば、フィルムアンテナが室内側に設けられることにより、耐候処理を施す必要がなく、製造コストを抑制することができる。


【手続補正２９】
【補正対象書類名】明細書
【補正対象項目名】００７３
【補正方法】変更
【補正の内容】
【００７３】
また本発明によれば、アンテナの給電部は車体側に設けられ、窓ガラスの開口部に設けられるのは透明フィルムと線状のアンテナ導体のみであるんで、美観が低下することが防がれる。


【手続補正３０】
【補正対象書類名】明細書
【補正対象項目名】００７４
【補正方法】変更
【補正の内容】
【００７４】
また本発明によれば、粘着層は窓ガラスに貼付ける部分のみに設けられるので、フィルムの貼付け作業が非常に容易となる。


【手続補正３１】
【補正対象書類名】明細書
【補正対象項目名】００７５
【補正方法】変更
【補正の内容】
【００７５】
また本発明によれば、剥離シートは窓ガラスに貼付ける部分と車体に引き込まれる部分との境界部で分割されているので、フィルムの貼付け作業を容易に行うことができる。


【手続補正３２】
【補正対象書類名】明細書
【補正対象項目名】００７６
【補正方法】変更
【補正の内容】
【００７６】
また本発明によれば、給電用同軸ケーブルの給電用コネクタの端子とアンテナ導体の給電端子とは圧接して接続されるので、ハンダ付けすることなく、良好に接続することができる。


【手続補正３３】
【補正対象書類名】明細書
【補正対象項目名】００７７
【補正方法】変更
【補正の内容】
【００７７】
また本発明によれば、給電用同軸ケーブルの外部導体を車体にねじ止めすることにより、外力が作用しても容易にはずれなくなる。


【手続補正３４】
【補正対象書類名】明細書
【補正対象項目名】００７８
【補正方法】変更
【補正の内容】
【００７８】
また本発明によれば、車体の塗装を除去した部分と接地用コネクタの端子とを圧接して接続することにより、ハンダ付けなどを行うことなく良好に接地することができる。


【手続補正３５】
【補正対象書類名】明細書
【補正対象項目名】００７９
【補正方法】変更
【補正の内容】
【００７９】
また本発明によれば、塗装された車体に貼付けた導体シートに露出する端子を圧接して接地用コネクタを導体シートに貼付けることにより、塗装を除去することなく接地することが可能となり、フィルムアンテナの取付け作業が非常に簡単となる。
また本発明によれば、アンテナ導体は幅広部でジグザグ状に折り返されて配置されるので、フィルムの長さを短くすることができ、これによって、たとえばフロントガラスの側辺に縦方向に配置することができる。
また本発明によれば、透明層の印刷がアンテナ導体およびその周辺部のみに形成されるので、フィルムの透明度が低下することが防がれる。
【手続補正３６】
【補正対象書類名】明細書
【補正対象項目名】００８０
【補正方法】変更
【補正の内容】
【００８０】
また本発明によれば、アンテナ導体を印刷によって形成することにより、アンテナのパターンがジグザグ状であっても正確かつ迅速に形成することが可能である。


【手続補正３７】
【補正対象書類名】明細書
【補正対象項目名】００８１
【補正方法】変更
【補正の内容】
【００８１】
また本発明によれば、アンテナ導体が導体線から形成されるので、アンテナの感度が良好となる。


【手続補正３８】
【補正対象書類名】明細書
【補正対象項目名】００８２
【補正方法】変更
【補正の内容】
【００８２】
また本発明によれば、フィルムアンテナをフロントガラスに設けることにより、デフォガと干渉することなく、良好に受信することが可能である。